(57)【要約】  傘は主要支柱によりロクロに取り付けられた複数のリブを有する。傘は複数の反転防止支柱から形成された反転防止機構を有する。各反転防止支柱は個々の主要支柱に枢動可能に結合され、個々のリブの長さに沿って自由に動くことができる浮動継手部材に枢動可能に連結される。また反転防止機構は、リブに固定して取り付けられ、リブに沿って浮動継手部材が移動する程度を制限し、それぞれのリブが掛けられた力に応答して反転するのを防ぐように位置付けられた止め部も含む。【選択図】図１
2019524343.tif 000002
【特許請求の範囲】
【請求項１】
第１の端部および反対側の第２の端部を有する細長いシャフトと、
前記細長いシャフトを中心に摺動可能に配置され、前記シャフトの長さに沿って可動のロクロと、
開位置と閉位置との間を動く複数の主要支柱により前記ロクロに取り付けられた複数のリブであって、前記開位置において前記リブは開いて伸びた位置にあり、前記閉位置において前記リブは閉じて折り畳んだ位置にある、複数のリブと、
複数の反転防止支柱を備える反転防止機構であって、各反転防止支柱は、個々の主要支柱に枢動可能に結合され、前記リブの長さに沿って自由に動くことができる浮動継手に枢動可能に連結され、また前記反転防止機構は、前記リブに固定して取り付けられ、前記リブに沿って前記浮動継手部材が移動する程度を制限し、前記リブが掛けられた力に応答して反転するのを防ぐように位置付けられた止め部も含む、反転防止機構と
を備え、
前記反転防止支柱は第１の面、反対側の第２の面、第１の端部および第２の端部を有し、前記第１の端部は前記第１の面に沿って形成された第１の溝を有し、第２の端部は前記第１の面に沿って形成された凸表面を有し、前記第２の端部は前記第２の面に沿って形成された第２の溝を有し、前記第１の端部は前記第２の面に沿って形成された凸表面を有し、
前記傘の前記閉位置において、前記傘の小型化を増加する入れ子構造を形成するために、前記複数のリブの１つは前記第１の溝内に受領され、前記複数の主要支柱の１つは前記第２の溝内に受領される、
傘。
【請求項２】
各主要支柱は前記ロクロに近位端において枢動可能に取り付けられ、前記リブに遠位端において枢動可能に取り付けられる、請求項１に記載の傘。
【請求項３】
前記浮動継手は、前記リブをその中に受領するように形成されたボアを有する本体、および前記反転防止支柱に枢動可能に取り付けられた継手連結具を備える、請求項１に記載の傘。
【請求項４】
前記反転防止支柱は１つの主要支柱に枢動可能に結合される、請求項１に記載の傘。
【請求項５】
前記反転防止支柱は、第１の端部および反対側の第２の端部の両方において雌型端部継手を有し、前記１つの主要支柱は、前記雌型端部継手と前記第１の端部において噛み合う雄型継手連結具を有し、前記浮動継手部材は、前記雌型端部継手と前記第２の端部において噛み合う雄型継手連結具を含む、請求項４に記載の傘。
【請求項６】
前記反転防止支柱は、前記シャフトを中心に配置され、前記シャフトを上下に移動するように構成された浮動切欠に枢動可能に結合される、請求項１に記載の傘。
【請求項７】
前記浮動切欠は、前記リブが枢動可能に取り付けられた上切欠と前記ロクロとの間に配置される、請求項６に記載の傘。
【請求項８】
各リブは、その中に形成されたボアを有する中空本体によって画定された遠位先端を含み、前記ボアは、前記リブの遠位端、および前記天蓋に力を掛けるために前記リブの前記遠位端と前記ボアの端部との間に配置されたバネの両方を含有する、請求項１に記載の傘。
【請求項９】
前記主要支柱は、支柱リブ間継手が前記主要支柱を前記リブに接合し、かつ前記主要支柱を前記反転防止支柱にも接合するという点において、二重継手として作用する前記支柱リブ間継手を備える前記リブに枢動可能に連結される、請求項１に記載の傘。
【請求項１０】
前記主要支柱の遠位端は、前記リブ上の固定した雄継手と噛み合う雌部、および前記反転防止支柱の一部である雌端部継手と噛み合う雄部を有する遠位端継手を含む、請求項１に記載の傘。
【請求項１１】
第１の端部および反対側の第２の端部を有する細長いシャフトと、
前記細長いシャフトを中心に摺動可能に配置され、前記シャフトの長さに沿って可動のロクロと、
開位置と閉位置との間を動く複数の支柱により前記ロクロに取り付けられた複数のリブであって、前記開位置において前記リブは開いて伸びた位置にあり、前記閉位置において前記リブは閉じて折り畳んだ位置にある、複数のリブと、
複数の反転防止支柱を備える反転防止機構であって、各反転防止支柱は、個々の支柱に枢動可能に結合され、前記リブに枢動可能に連結される、反転防止機構と
を備え、
前記反転防止支柱は第１の面、反対側の第２の面、第１の端部および第２の端部を有し、前記第１の端部は前記第１の面に沿って形成された第１の溝を有し、前記第２の端部は前記第２の面に沿って形成された第２の溝を有するので、前記傘の前記閉位置において前記傘の小型化を増加する入れ子構造を形成するために、前記複数のリブの１つが前記第１の溝内に受領され、前記複数の支柱の１つが前記第２の溝内に受領される、
傘。
【請求項１２】
前記複数のリブは複数の第１のリブおよび複数の第２のリブを含み、前記複数の支柱は複数の第１の支柱および複数の第２の支柱を含み、単一のリブリンク機構組立体は、
前記シャフトの一端に形成された第１の切欠に枢動可能に結合された１つの第１のリブと、
天蓋に結合するために遠位端に先端を有する１つの第２のリブと、
前記ロクロに枢動可能に結合された１つの第１の支柱と、
前記第１の支柱および前記第２のリブに枢動可能に結合されたリブ継手と、
前記第１のリブの一端および前記リブ継手に枢動可能に結合された１つの第２の支柱と、
一端において前記第１のリブに、また反対側の端部において上切欠に枢動可能に結合された圧縮アームと
を備え、
前記反転防止支柱は前記第２の支柱に枢動可能に結合される、
請求項１１に記載の傘。
【請求項１３】
前記第１のリブの一端は一端に形成されたスロットを有し、前記第１の支柱は前記スロットを通過する、請求項１２に記載の傘。
【請求項１４】
前記第２の端部は前記第１の面に沿って形成された凸表面を有し、第１の端部は前記第２の面に沿って形成された凸表面を有する、請求項１１に記載の傘。
【請求項１５】
前記反転防止支柱の第１の端部は、前記リブの長さに沿って自由に動くことができる浮動継手部材に枢動可能に連結され、また前記反転防止機構は、前記リブに固定して取り付けられ、前記リブに沿って前記浮動継手部材が移動する程度を制限し、前記リブが掛けられた力に応答して反転するのを防ぐように位置付けられた止め部も含む、請求項１１に記載の傘。
【請求項１６】
１つの支柱は前記ロクロにその第１の端部において枢動可能に取り付けられ、前記リブにその第２の端部において第１のリブ継手によって枢動可能に取り付けられ、前記反転防止は前記第１のリブ継手にその第１の端部において枢動可能に取り付けられ、前記リブにその第２の端部において枢動可能に取り付けられる、請求項１１に記載の傘。
【請求項１７】
前記第１の面の前記溝は変曲点において凸部に移行し、前記第２の面の前記溝は変曲点において凸部に移行する、請求項１１に記載の傘。
【請求項１８】
前記第１の溝の深さは、前記リブの１つがその中に受領されて捕捉されるように選択され、前記第２の溝の深さは、前記支柱の１つがその中に受領されて捕捉されるように選択される、請求項１１に記載の傘。
【請求項１９】
前記反転防止支柱の前記第１の端部は、第１の方向に外方に延在する第１の継手部を含み、前記反転防止支柱の前記第２の端部は、前記第１の方向と反対である第２の方向に外方に延在する第２の継手部を含む、請求項１１に記載の傘。
【請求項２０】
前記第１の端部は、その間に形成された第１のスロットを備える第１の対の指部内で終了し、前記第２の端部は、その間に形成された第２のスロットを備える第２の対の指部内で終了し、第１の継手連結具は、前記反転防止支柱を前記リブに枢動可能に取り付けるために前記第１のスロット内に受領され、第２の継手連結具は、前記反転防止を前記個々の支柱に枢動可能に取り付けるために前記第２のスロット内に受領される、請求項１１に記載の傘。
【請求項２１】
前記第１の端部は第１の方向に湾曲し、前記第２の端部は反対側の第２の方向に湾曲する、請求項１１に記載の傘。
【請求項２２】
傘の反転防止機構とともに使用するための反転防止支柱であって、
第１の面、反対側の第２の面、第１の端部および第２の端部を有する支柱本体を備え、前記第１の端部は前記第１の面に沿って形成された第１の溝を有し、第２の端部は前記第１の面に沿って形成された凸表面を有し、前記第２の端部は前記第２の面に沿って形成された第２の溝を有し、前記第１の端部は前記第２の面に沿って形成された凸表面を有する、
反転防止支柱。
【発明の詳細な説明】
【技術分野】
【０００１】
関連出願の相互参照
本出願は、２０１５年２月５日に出願された米国特許出願第１４／６１４，９０６号の優先権を主張し、また米国特許出願第１４／６１４，９０６号の一部継続出願であり、２０１６年１１月１７日に出願された米国特許出願第６２／４２３，７０８号および２０１６年８月１９日に出願された米国特許出願第６２／３７７，０４２号の優先権を主張し、それぞれはその全体が参照によって本明細書に組み込まれる。
【０００２】
本発明は傘に関し、より詳細には強風、その他を含む悪条件において反転に抵抗するように設計された傘に関する。
【背景技術】
【０００３】
周知のように、傘は使用者を天候から、特に降水および降雪または日光、その他からさえも守る道具である。従来の傘は以下の部品、すなわち中棒、天蓋、リブ、ロクロ、バネ、および石突を有する。中棒は、底部における傘の持ち手（もしくはパティオ式の場合は基台）と上部における天蓋との間を走る金属または木製のシャフトである。天蓋は、雨、風および日光を捕らえる傘の布部分である。リブは、傘にその構造および形状を与えるものである。外リブは天蓋を持ち上げ、内リブ（受骨と呼ばれることがある）は支持部として作用し、外リブを傘の中棒に連結させる。ロクロは、リブ／受骨に連結しながら中棒を摺動して上下し、天蓋の開閉を担う。多くの傘の設計は、天蓋が開いているときにロクロを上に保持するための上バネ、天蓋が閉じているときにロクロを下に保持するための底バネ、および場合によっては折り畳み式の中棒の長さを伸ばすためのセンターボールバネを含む。厳密には装飾品だが、フィニアル（石突とも呼ばれる）は天蓋の上の傘の最上部に見られる。
【０００４】
傘のリブは、傘の天蓋布を支持する折り畳み構造で機能する。正常動作条件下で、傘の天蓋布に作用する力は、天蓋が完全に展開されるとき、および突風が天蓋を反転させる傾向があるとき、ピーク値に向かって増加する。これらの力は天蓋から天蓋のリブに伝達し、リブに風の方向に依存して反対方向に作用する可能性がある。したがってリブは、２つの主な対向する方向のいずれかからリブに作用する可能性がある力に抵抗ように十分に強くなければならない。
【０００５】
上記の構造は傘に対して最も一般的な構造であり、天蓋は下方に凸状形状をなすと推測される。このような設計に関する１つの重大な問題は、強風または突風があったときに起き、強風または突風が天蓋の内表面に対して力を掛けることにより、天蓋はその正常位置から上方位置に上方に凸状の位置に反転する。
【０００６】
突風の問題に対処する傘は、天蓋内に配置された孔を設置する１つの解決策が提案されており、これにより空気は天蓋を通って流れて天蓋が受けた全力が低減する。しかし孔は、力を大幅に低減するように十分な気流を提供するほど大きくはなく、ほとんどの状況では天蓋は依然として反転する。これに対する別の解決策は、傘の支柱から先端領域に連結するバネを追加することである。しかしこの解決策も、これらのバネが経年で緩み、または使用中に切れ、もしくは絡まる可能性があるという点で難点がある。
【０００７】
したがって強風において傘の反転を防ぐように作用する防風傘を提供することが、本発明の目的である。
【発明の概要】
【０００８】
本発明の一例示的実施形態によれば、傘は、第１の端部および反対側の第２の端部を有する細長いシャフト、ならびに細長いシャフトを中心に摺動可能に配置され、シャフトの長さに沿って動くことができるロクロを含む。傘は、開位置と閉位置との間を動く複数の主要支柱によりロクロに取り付けられた複数のリブを有し、リブは開位置において開いて伸びた位置にあり、閉位置においてリブは閉じて折り畳んだ位置にある。
【０００９】
本発明によれば、傘は、複数の反転防止支柱から形成された反転防止機構を有する。各反転防止支柱は、個々の主要支柱に枢動可能に結合され、リブの長さに沿って自由に動くことができる浮動継手部材に枢動可能に連結される。また反転防止機構は、リブに固定して取り付けられ、リブに沿って浮動継手部材が移動する程度を制限し、それぞれのリブが掛けられた力に応答して反転するのを防ぐように位置付けられた止め部も含む。
【図面の簡単な説明】
【００１０】
【図１】本発明によるシャフトおよび傘のリブ組立体を含み、完全に開いた位置に示された、手動型の傘の側立面図であり、単一のリブ組立体のみが例示目的のみのために示されている。
【図２】半分開いた位置に示された図１の傘のリブ組立体の側立面図である。
【図３】閉じた位置に示された図１の傘のリブ組立体の側立面図である。
【図４】完全に開いた位置に示された図１の複数のリブ組立体を有する傘の斜視図である。
【図５】完全に閉じた位置に示された図４の傘の斜視図である。
【図６】本発明の反転防止特徴を示す、図１のリブ組立体の一部の拡大断面図である。
【図７Ａ】図１のリブ組立体の支柱リブ間継手の斜視図である。
【図７Ｂ】図７Ａの支柱リブ間継手の側立面図である。
【図７Ｃ】図７Ａの支柱リブ間継手の上面図である。
【図７Ｄ】図７Ａの支柱リブ間継手の端面図である。
【図８Ａ】図１のリブ組立体の浮動継手の斜視図である。
【図８Ｂ】図８Ａの浮動継手の側立面図である。
【図８Ｃ】図８Ａの浮動継手の上面図である。
【図８Ｄ】図８Ａの浮動継手の端面図である。
【図９Ａ】図１のリブ組立体の浮動継手止め部の斜視図である。
【図９Ｂ】図９Ａの浮動継手止め部の側立面図である。
【図９Ｃ】図９Ａの浮動継手止め部の上面図である。
【図９Ｄ】図９Ａの浮動継手止め部の端面図である。
【図１０Ａ】リブ先端の斜視図である。
【図１０Ｂ】リブ先端の上面図である。
【図１０Ｃ】リブ先端の側立面図である。
【図１０Ｄ】リブ先端の端面図である。
【図１１】本発明によるリブ先端組立体の上面図である。
【図１２】閉じた／圧迫されていない状態の先端組立体の断面図である。
【図１３】開いた／圧迫された状態の先端組立体の断面図である。
【図１４】図１の傘のシャフト組立体の側立面図である。
【図１５】シャフト組立体の一部であるシャフト係止部の拡大側立面図である。
【図１６】シャフト係止部の断面図である。
【図１７Ａ】係止解除した位置におけるロクロを備えたシャフト組立体の側立面図である。
【図１７Ｂ】係止解除した位置における図１７Ａのロクロの断面図である。
【図１８Ａ】係止位置におけるロクロを備えたシャフト組立体の側立面図である。
【図１８Ｂ】係止位置におけるロクロを備えたシャフト組立体の断面図である。
【図１９】本発明の別の実施形態によるシャフトおよび傘のリブ組立体を含み、完全に開いた位置に示された、手動型の傘の側立面図であり、単一のリブ組立体のみが例示目的のみのために示されている。
【図２０】一実施形態による反転防止支柱の上面図である。
【図２１】反転防止支柱の側立面図である。
【図２２】本発明の一実施形態によるシャフトおよび傘のリブ組立体を含み、完全に開いた位置に示された、傘（例えば２部の折り畳み式）の側立面図であり、単一のリブ組立体のみが例示目的のみのために示されている。
【図２３】完全に開いた位置における図２２の傘の斜視図である。
【図２４】半分開いた位置における図２２の傘の側立面図である。
【図２５】閉じた位置における図２２の傘の側立面図である。
【図２６】完全に開いた位置における図２２の傘の斜視図である。
【図２７Ａ】例示的リブ先端の斜視図である。
【図２７Ｂ】リブ先端の上面図である。
【図２７Ｃ】リブ先端の側立面図である。
【図２７Ｄ】リブ先端の端面図である。
【図２８Ａ】図２２のリブ組立体の浮動継手の斜視図である。
【図２８Ｂ】図２８Ａの浮動継手の側立面図である。
【図２８Ｃ】図２８Ａの浮動継手の上面図である。
【図２８Ｄ】図２８Ａの浮動継手の端面図である。
【図２９Ａ】図２２のリブ組立体の浮動継手止め部の斜視図である。
【図２９Ｂ】図２９Ａの浮動継手止め部の側立面図である。
【図２９Ｃ】図２９Ａの浮動継手止め部の上面図である。
【図２９Ｄ】図２９Ａの浮動継手止め部の端面図である。
【図３０Ａ】図２２のリブ組立体の反転防止支柱の斜視図である。
【図３０Ｂ】図３０Ａの反転防止支柱の側立面図である。
【図３０Ｃ】図３０Ａの反転防止支柱の底面図である。
【図３０Ｄ】図３０Ａの反転防止支柱の端面図である。
【図３１Ａ】図２２のリブ組立体の第２のリブ継手の斜視図である。
【図３１Ｂ】図３１Ａの第２のリブ継手の側立面図である。
【図３１Ｃ】図３１Ａの第２のリブ継手の上面図である。
【図３１Ｄ】図３１Ａの第２のリブ継手の端面図である。
【図３２Ａ】図２２のリブ組立体の第１のリブの斜視図である。
【図３２Ｂ】図３１Ａの第１のリブの側立面図である。
【図３２Ｃ】図３１Ａの第１のリブの上面図である。
【図３２Ｄ】図３１Ａの第１のリブの端面図である。
【図３３】別の実施形態により、第１の（完全に開いた）位値における傘の側面図である。
【図３４】第２の位置における図３３の傘の側面図である。
【図３５】第３の（完全に閉じた）位置における図３３の傘の側面図である。
【図３６】第１の位置における図３３の傘の斜視図である。
【図３７】第３の（完全に閉じた）位置における図３３の傘の斜視図である。
【図３８】１つのリブ組立体の一部に近接した側面図である。
【発明を実施するための形態】
【００１１】
本明細書で検討したように、本発明は、これに限定されないが、そのシャフト構造およびリブ組立体を含む傘の多数の構成要素に関する改良を対象とする。本明細書で検討したように、本発明の特徴は、手動型傘および自動型傘の両方に実装することができる。加えて、他の特徴を他の型の傘に実装することができる。したがって以下の検討および図は、本発明の教示を実装する例示的実施形態を説明する。
【００１２】
図１は、本発明の一例示的実施形態による傘１００の側面図を示し、わかりやすくするため、また本発明の検討を単純にするために１つのみの組立体が示されている。傘１００は、ゴルファおよびゴルファのカートを雨から守るために使用される特大傘であると一般的に公知の、ゴルフ傘と一般的に呼ばれる型からなる。ゴルフ傘の長いシャフトは通常折り畳むことはできない。本明細書に記載された本発明の様々な特徴は、ゴルフ傘以外に他の型の傘にも実装することができることが認識され理解されよう。
【００１３】
図１および１４に示されたように、傘１００は第１の（上）端部１１２および反対側の第２の（底）端部１１４を有するシャフト１１０を含む。シャフト１１０自体は、シャフト１１０を提供するように協働するあらゆる数の異なる構成要素から形成することができ、図１に示されたシャフト１１０は、使用者が本明細書に記載されたように傘を手動で開閉する、手動傘組立体の一部である。第１の端部１１２にキャップまたは装飾石突（図示せず）が典型的にはシャフト１１０を閉鎖するために提供され、第２の端部１１４に持ち手１３０が使用者によって把持されるために提供される。
【００１４】
図１４〜１６を参照すると、示されたシャフト１１０は、組み立てられたシャフトを形成するために嵌め合わせる複数の異なるシャフト部から形成されている。より具体的には、シャフト１１０は、３つの異なるシャフト部、すなわち第１のシャフト部１１１、第２のシャフト部１１３、および第３のシャフト部１１５から形成することができる。第１のシャフト部１１１は、一端においてキャップ／石突に、その他端において第２のシャフト部１１３の一端に取り付けられる。第２のシャフト部１１３は、その他端において第３のシャフト部１１５の一端に取り付けられる。第３のシャフト部１１５は、その他端において持ち手１３０に取り付けられる。したがって第１のシャフト部１１１は上シャフト部を表し、第２のシャフト部１１３は中間シャフト部を表し、第３のシャフト部１１５は底シャフト部を表す。個々のシャフト部１１１、１１３、１１５の寸法は異なることが可能であり、特に長さおよび／または幅（例えば直径）の少なくとも１つは異なることが可能である。示された実施形態では、部分１１１、１１３、１１５は同じ幅を有するが、中間部１１３は部分１１１、１１５より長い長さを有し、部分１１１、１１５は同じ長さを有するように示されている。例えば３つのシャフト部１１１、１１３、１１５は、炭素から作成された１４ｍｍのシャフト部であることが可能である。
【００１５】
シャフト部１１１、１１３、１１５は、結合部材１０５を用いて互いに連結される。１つの結合部材１０５は、２つの隣接したシャフト部１１１、１１３、１１５の間に取り付けられる。結合部材１０５はシャフト係止部材（係止挿入部）であると考えることができ、アルミニウムなどの金属材料から形成することができる。係止部材１０５は、その外表面に沿って形成された第１の環状リッジ（唇）１０７、およびその外表面に沿って形成され、第１の環状リッジ１０７から離間した第２の環状リッジ（唇）１０９を有する、中空部材（管）であることが可能である。空間１０８はリッジ１０７と１０９との間に形成される。環状リッジ１０７、１０９は、それぞれのシャフト部のための止め部を画定する。より具体的には、環状リッジ１０７、１０９の外側の係止部材１０５の外径は、その間に摩擦嵌合（機械的嵌合）を形成するように、それぞれのシャフト部１１１、１１３、１１５の中空内部の中に係止部材１０５を挿入することができるように選択される。環状リッジ１０７、１０９はシャフト部１１１、１１３、１１５の内径より大きい直径を有するので、係止部材１０５はそれぞれのシャフト部の中に挿入することができない。その代わりに、これらの環状リッジ１０７、１０９は止め部として作用し、係止部材１０５がそれぞれのシャフト部の中にさらに挿入するのを防ぐ。組み立てるときに、２つのリッジ１０７と１０９との間に係止部材１０５の表面が見える。
【００１６】
係止部材１０５は、したがって完全に組み立てられたシャフトを形成するためにシャフト部１１１、１１３、１１５をしっかりと取り付ける堅固な結合部材を提供する。
【００１７】
上述したように、傘の主要構成要素の１つはロクロ１５０である。ロクロ１５０は傘１００を開閉する傘の部品であり、ロクロ１５０はシャフト１１０に沿って動く。したがってロクロ１５０は、シャフト１１０を包囲し、シャフト１１０に沿って可動であり、１つまたは複数の異なる位置に係止することができる中空部材である。図１７Ａ、１７Ｂ、１８Ａおよび１８Ｂはロクロ１５０をより詳しく示す。ロクロ１５０は、概して円筒形状の基部１５２およびシャフトロクロ係止部１５４を含む、数個の部品または部分から形成される。ロクロ１５０の上部１５３は、以下に論じるように複数の支柱を受領してしっかりと取り付け、リブ２００を動かすように構成される。上部１５３は、したがって支柱を受領するためにそれを中心に周方向に形成された複数のスロット１５５を含む。シャフトロクロ係止部１５４は上部１５３と基部１５２との間に配置される。
【００１８】
シャフトロクロ係止部１５４は、ロクロ１５０をシャフト１１０に沿って複数の係止位置の１つに選択的に係止するように設計される。図１８ＡおよびＢはロクロ１５０の断面図である。図１７Ａおよび１７Ｂは、係止部材１０５に対して係止解除した（開いた）位置におけるロクロ１５０を示す一方で、図１８Ａおよび１８Ｂは、ロクロ１５０がシャフトに対して適所に係止された（すなわち係止部材１０５に対して係止された）係止位置におけるロクロ１５０を示す。
【００１９】
係止部材１０５は、このように適所に係止するように連結させるためにロクロ１５０に凹部（空間１０８）を提供する、アルミニウム（または他の材料）の加工片の形であることが可能である。
【００２０】
シャフトロクロ係止部１５４は、シャフト係止部材１０５を係止して係合するように設計される。シャフトロクロ係止部１５４は、シャフトに沿って動くプッシュ／プル式ロクロである。より具体的には、シャフトロクロ係止部１５４は、環状リッジ１０７と１０９との間に形成された空間１０８内で係合して着座する、弾性係止部材（ロクロ捕捉部）１５７を有する。弾性係止部材１５７は内方に向いた唇を有する環形状の係止部材１５７を備えることができ、唇は、唇が空間１０８と位置合わせされたときに空間１０８内に着座する。係止部材１５７の弾性（屈曲）により、係止部材１５７は外方に屈曲できることによって空間１０８と係脱することができる。係止部材１５７（特にその唇１５９）がシャフト係止部材１０５から係脱すると、ロクロ１５０はシャフト１１０に沿って自由に動くことができる。
【００２１】
使用中にロクロ１５０がもはやそれ以上垂直に上に動くことができないある特定の点に達すると、圧力がロクロ捕捉部１５７に向けられ、ロクロ捕捉部１５７自体が係止挿入部１０５に係止する。この設計の１つの利点は、通常ロクロが係止機構を係合できるために何らかの方法でシャフトの直径を加工または低減する必要があるはずであり、または係止位置を作るためにシャフト自体の外側に材料を追加しなければならないはずであることである。しかしシャフトに材料を追加することは外見が悪く、また傘の折り畳んだ直径がより大きくなる。
【００２２】
図１７Ａおよび１７Ｂは係止解除した位置におけるロクロ１５０を示し、その位置においてロクロ１５０はシャフトに沿って自由に動く。この係止解除した位置では、ロクロ捕捉部１５７は空間（凹部／チャネル）１０８と動的に係合されない一方で、図１８Ａおよび１８Ｂでは、ロクロ捕捉部１５７は空間（凹部）１０８と動的に係合され、それによってロクロ１５０はシャフトに係止する。本明細書に記述されたように、ロクロ１５０が押されると、ロクロ１５０は、それ以上垂直方向に動くことができない（図１７Ａおよび１７Ｂに示された点のような）ある特定の点に達する。ロクロに対して垂直方向に引き続き力を掛けると、力はロクロ捕捉部１５７に掛かり、この結果ロクロ捕捉部１５７は係止挿入部１０５に向かって半径方向内方に変形する。
【００２３】
ロクロ捕捉部１５７は、使用者がロクロ１５０に十分な力を掛けると、ロクロ捕捉部１５７は係止凹部１０８から係脱し、ロクロ１５０は自由に動くことを意味する、保持力を超えることにより係止凹部１０８から係脱することができる。
【００２４】
本明細書に記載されたように、係止部材１０５は、こうしてシャフト１１０に沿ってロクロ１５０を所望の位置、例えば本明細書に示されたように完全に開いた位置および完全に閉じた位置などに係止するように位置付けられる。
【００２５】
ロクロ１５０は例示に過ぎず、他のロクロ構造を本発明の傘とともに使用することができるので、本発明の範囲を限定するものではないことが理解されよう。
【００２６】
ロクロ１５０をシャフト１１０に沿っていずれかの方向（上下）に動かすためには、使用者は、係止部材１５７を係止スロット（空間１０８）から係脱するために十分な力を掛けるだけである。
【００２７】
また傘１００は、シャフト１１０に取り付けられ、シャフト１１０を包囲する環形状部材である上切欠１１９も含む。上切欠１１９はリブ２００を受領するように構成され、したがってこのようなリブのための取付点の役目を果たす。リブは上切欠１１９の中に嵌合することによってシャフト１１０に取り付けられ、次いでワイヤまたは他の手段によって保持することができる。上切欠１１９は、縁部の周囲に歯を備えた薄い円形ナイロンまたはプラスチック片であることが可能である。
【００２８】
以下の記載によって理解されるように、各リブ２００は上切欠１１９およびロクロ１５０の両方に結合され、この結果ロクロ１５０の動く方向に基づいてリブ２００および取り付けられた天蓋（図示せず）が開閉する。リブ２００とロクロ１５０との間の連結は、支柱３００（主要支柱）によってなされる。支柱３００は、第１の端部３０２および反対側の第２の端部３０４を有する細長い構造であり、第１の端部３０２はロクロ１５０に枢動可能に取り付けられ、第２の端部３０４はリブ２００に枢動可能に取り付けられる。支柱３００とロクロ１５０との間、および支柱３００とリブ２００との間の枢動連結は、リベットまたはピン、その他などの締結具で遂行することができる。より具体的には、第１の支柱継手３１０は第１の端部３０２において支柱３００とロクロ１５０との間に形成され、第２の支柱継手３２０は第２の端部３０４において支柱３００とリブ２００との間に形成される。
【００２９】
図６に示されたように、第１の支柱継手３１０は、支柱３００が開位置と閉位置との間を枢動できるために、ロクロ１５０に枢動可能に取り付けるように構成された雄端部継手の形であることが可能である。
【００３０】
第２の支柱継手３２０は二重継手の形であり、図６および７Ａ〜Ｄに最も良く示されている。また第２の支柱継手３２０は支柱リブ間継手であると考えることもでき、支柱３００の遠位端に取り付ける第１の端部３２１、および１対の離間した指部３２３を含む第２の端部３２２を含み、指部３２３は互いに平行であり、その間に開放空間３２４を画定し、以下に論じるように継手を別の構造（リブ）に結合するために締結具または同様のものが通過できるためにその中に形成された、位置合わせされた開口を有する。図７Ａ〜Ｄに示されたように、第２の支柱継手３２０は継手連結具３１５も含み、継手連結具３１５は継手３１０の本体から外方に突出する羽根の形であることが可能である（すなわち連結具３１５は連結具３１５の本体に垂直に形成される）。継手連結具３１５は、別の構造を継手連結具３１５に枢動可能に取り付けることができるように、締結具がそこを通過できるためにその中に形成された開口を有する。
【００３１】
支柱３００は、金属（例えば亜鉛合金）を含むあらゆる数の異なる材料から形成することができる。
【００３２】
図に示されたように、リブ２００は、開閉する複数のリブ２００によって画定されたリブ組立体を提供するために、傘の他の構成要素に結合された細長い構造である。
【００３３】
各リブ２００は、第１の端部（近位端）２１０および反対側の第２の端部（遠位端）２１２を有する、細長い可撓性構造である。第１の端部２１０は上切欠１１９に枢動可能に取り付けられ、より具体的には、第１のリブ継手２２０は第１の端部２１０に提供され、リブ２００が上切欠１１９に対して枢動することができるように設計することができる。示された実施形態では、第１のリブ継手２２０は、支柱組立体の一部である第１のリブ継手３１０に類似した構造、または同じ構造を有することができる雄端部継手の形であることが可能である。
【００３４】
図６に最も良く示されたように、リブ２００は、リブ２００の長さに沿って配置された第２のリブ継手２３０も含む。第２のリブ継手２３０は、その特定の場所においてリブ２００に固定して取り付けることができる。したがって第２のリブ継手２３０は、リブ２００を受領する中空構造の形であることが可能であり、使用中に第２のリブ継手２３０が動くのではなく、むしろ固定された場所に留まるように、リブ２００に固定して取り付けられる。第２のリブ継手２３０は、そこから半径方向外方に延在する羽根（突出部）の形の連結部２３２を有する。連結部２３２は、したがって第２のリブ継手２３０の本体に垂直に形成することができる。連結部２３２は、そこを通って形成された開口を含む。
【００３５】
図６および７Ａ〜Ｄを参照すると、連結部２３２は、第２の支柱継手３２０の１対の離間した指部３２３の間に画定された開放空間２３４内に配置されるような大きさであり、開放空間２３４内に配置されるように構成される。開放空間２３４の中に挿入されると、連結部２３２内に形成された開口は、締結具（ピンまたはリベットまたはワイヤ、その他など）が通過できるように指部３２３内の開口と軸方向に位置合わせし、それによって第２の支柱継手３２０はリブ２００に枢動可能に取り付けられる（したがって支柱３００はリブ２００に枢動可能に取り付けられる）。
【００３６】
本発明の一態様によれば、反転防止機構（特徴）４００が提供され、選択操作条件の間、特に風の強い条件または他の悪条件の間、傘に掛かる反転力に対抗するように構成される。傘の使用者には周知であるように、突風が傘の内側に向かって上方に向けられる場合、風によって加えられた圧力は天蓋を反転させることにより、リブは天蓋を外方に押し付けるように逆効果に働く。天蓋は、概して反転が起きるときに凹形状が想定され、同様にリブは意図しない方向に枢動するように強いられ、それにより１つまたは複数のリブが折れる可能性がある。これにより傘は使用できなくなる。本発明の傘は、以下に個別に論じる数個の構成要素から作成された反転防止機構４００を有する。
【００３７】
図６および図８Ａ〜Ｃに示されたように、反転防止機構４００は、支柱３００に結合された第１の端部４１２、およびリブ２００に結合された反対側の第２の端部４１４を有する、反転防止支柱４１０を備える。より具体的には、第１の端部４１２は第２の支柱継手３２０に結合され、第２の端部４１４はリブ２００に結合される。反転防止支柱４１０は第１の端部４１２における第１の端部継手４１１、および第２の端部４１４における第２の端部継手４１３を有する。示された第１および第２の端部継手４１１、４１３は雌端部継手の形であり、具体的には第１の端部継手４１１は、その間に形成された開放空間を有する１対の隙間を介した指部４１５によって画定され、第２の端部継手４１３も、その間に形成された開放空間を有する１対の隙間を介した指部４１７によって画定される。継手連結具３１５（雄継手）は、第１の端部継手４１１の指部４１５（雌継手）の間の開放空間の中に受領され、それによって反転防止支柱４１０は、反転防止支柱４１０が支柱３００に対して枢動できる方式で支柱３００に結合する。
【００３８】
第１および第２の端部継手４１１、４１３は細長い支柱本体に機械的に固定することができ、または端部継手４１１、４１３は既存の支柱材料の上に成形することができる。
【００３９】
反転防止支柱４１０は、金属および合成物質を含むあらゆる数の異なる材料から形成することができる。一例示的実施形態では、反転防止支柱４１０は６ｍｍの炭素繊維ロッドを備える。
【００４０】
また反転防止機能４００は、リブ２００に摺動可能に結合され、第２の端部継手４１３と噛み合うように構成された浮動継手５００も含む。図８Ａ〜Ｄは浮動継手５００を示す。浮動継手５００は本体５１０を有し、本体５１０は、その中に形成され、本体５１０の一端からその他端を通る貫通孔を表すボア５１２を含む。また浮動継手５００は、本体５１０から半径方向外方に延在する羽根の形の継手連結具５２０も含む。連結具５２０は、本体５１０に垂直に形成することができる。連結具５２０はその中に形成された開口を有する。したがって連結具５２０は雄継手を表す。
【００４１】
反転防止支柱４１０は、第２の端部継手４１３の離間した指部４１７の間に連結具５１０を挿入することにより、リブ２００に結合される。他の継手と同様に、締結具または同様のものを使用して連結具５１０を指部４１７に結合することができる。
【００４２】
リブ２００はボア５１２内に受領され、ボア５１２を通過し、ボア５１２の大きさ（直径）およびリブ２００の大きさ（直径）は、浮動継手５００がリブ２００の長さに沿って長手方向に自由に動くことができるように選択される。これにより、浮動継手５００は傘を開閉するときにリブ２００を自由に上（上切欠１１９に向かって）下（リブ先端に向かって）に移動することができる継手であることが可能になる。
【００４３】
別の実施形態では、浮動継手は雄連結具５２０を含む雄部品であることが可能であるが、浮動継手がリブ２００（例えばアルミニウムの押出リブまたは形成された鋼鉄リブ）の内側の中空内を自由に動くように、リブ２００の内部に位置付けられることが理解されよう。したがってリブ２００は、その中に形成された線形スロットを有することができ、連結具５２０は線形スロットを通過する。浮動継手の作動は、その他の点では同じである。この代替実施形態では、浮動継手の「浮動作用」は、したがって示された実施形態におけるリブ２００の外側と対照的にリブ２００の内部で起きる。
【００４４】
図６および９Ａ〜Ｄを参照すると、反転防止機構４００は、リブ２００に固定して取り付けられた浮動継手止め部５３０も含む。浮動継手止め部５３０は浮動継手５００と第２のリブ継手２３０との間に配置され、リブ２００に沿って固定した場所に留まる。止め部５３０は、それを通って延在し、リブ２００を受領するボア５３２を含む。止め部５３０は、止め部５３０をリブ２００の長さに沿って特定の目標場所に固定するように、従来の技法を使用してリブ２００に固定される。止め部５３０は、この場合に好ましい方法である機械的またはオーバーモールドによって固定することができる。止め部５３０は、浮動継手５００が上切欠１１９に向かう方向に動くのを止め部５３０が制限するように構築される。
【００４５】
傘が開位置にあるとき、浮動継手５００は、浮動継手５００が浮動継手止め部５３０に接触するまでリブ２００に沿って上昇することが理解されよう。浮動継手５００は、浮動継手止め部５３０と組み合わせて、強風の力を受けているときなどにリブ２００が反転するのを防ぐ。リブは浮動継手止め部５３０の遮断作用に起因して上方に曲がることができないので、反転は防止される。
【００４６】
図１０Ａ〜Ｄおよび１１〜１３は、リブ２００の先端６００の詳細を示す。先端６００は、リブ２００の遠位端に取り付ける構造を備える。先端６００は、ボア６０３を有する中空本体６０２によって画定され、ボア６０３はリブ２００の遠位端を受領し、そこに固定される。先端６００は概して三角翼形状を有し、本体６１０から外方後方に延在する第１および第２の翼部６２０、６３０によって画定される。各翼部６２０、６３０は傾斜した前縁６２５、６３５のそれぞれ、および傾斜した後縁６２７、６３７のそれぞれを有する。加えて図１０Ｄに示されたように、翼部６２０、６３０が同じ平面全体に位置しないという点において、翼部６２０、６３０は互いに対して傾斜している。先端６００は、天蓋が開位置にあるときに先端６００が天蓋の傾斜に一致するために傾斜されるように構築され設計される。
【００４７】
図１１〜１３は、本体６０２のボア６０３がバネなどの付勢部材６４０を含むという点において、先端６００のさらに別の特徴を示す。バネ６４０は、リブ２００の遠位端と本体６０２内に形成された止め部６０５との間に配置される。止め部６０５はボア６０３の端部を表す。ボア６０３は、リブ２００およびそれに関して傘も開位置と閉位置との間を動くことができるように、リブ２００の遠位端が動くことができるように設計される。したがってバネ６３０は、その上にリブ２００が作用する方式に基づいてエネルギーを保存し解放する。図１２は閉じた／圧縮されていない状態における先端組立体を示す一方で、図１３は開いた／圧縮された状態における先端組立体を示す。図１３では、先端の内部バネ６４０の圧縮状態に起因して傘が開いたときの天蓋と先端との関係。
【００４８】
代替実施形態では、先端は突出部を有する雄設備（構造）を備えることができ、突出部はリブ（例えばアルミニウムの押出リブまたは形成された鋼鉄リブ）の遠位端に形成された開口（例えばボア）内に受領される。したがって結合は、先端の突出部をリブの開口（ボア）の中に挿入することによって形成される。上の実施形態と同様に、バネなどの付勢部材は、リブ内に形成された開口（ボア）内に、リブの開口（ボア）内に同様に配置された先端の突出部と接触して配置することができる。
【００４９】
図２は半分開いた位置における傘１００、特に単一のリブ組立体を示す一方で、図４は完全に閉じた位置における傘、特に単一のリブ組立体を示す。
【００５０】
図４は完全に開いた位置における複数のリブ組立体を備えた傘１００示す一方で、図５は完全に閉じた位置における複数のリブ組立体を備えた傘１００を示す。
【００５１】
傘の各部品はその作動に必要であるが、ロクロ１５０は傘を開閉する部品である。ロクロ１５０が最後まで下がると、支柱３００はシャフトに対して平らに折り畳まれ、傘は「閉じ」、防水材料およびリブはシャフトを中心に巻き付けられる。傘を開くために、使用者はロクロ１５０を上部に最後まで摺動する。支柱３００は伸び、支柱３００が取り付けられたリブ２００が上昇し、材料（天蓋）がリブ２００の上に強く張って広がる。
【００５２】
図１９〜２１は別の実施形態による傘７００を示す。傘７００は傘１００に類似しており、したがって同様の要素は同様に番号が付されている。傘７００はシャフト１１０、およびシャフト１１０に沿って摺動移動するロクロ１５０を含む。前の実施形態と同様に、リブ２００とロクロ１５０との間の連結は支柱３００によってなされる。第１の実施形態とは違い、支柱３００とリブ２００との間に反転防止支柱４００がない。その代わりに図１９〜２１の傘７００は異なる反転防止支柱機構８００を含む。
【００５３】
この実施形態では、反転防止支柱機構８００は、第１の端部８１２および反対側の第２の端部８１４を有する反転防止支柱８１０を含む。第１の端部８１２は、シャフト１１０を中心に動くように配置された浮動切欠８１５に作動可能に結合される。より具体的には、浮動切欠８１５はシャフト１１０に摺動可能に結合され、ロクロ１５０とほとんど同様にシャフト１１０を上下に移動する。浮動切欠８１５はロクロ１５０と上切欠１１９との間に配置される。
【００５４】
浮動切欠８１５は上切欠１１９とその構造の観点で類似することが可能であり、シャフト１１０に取り付けられ、シャフト１１０を包囲する環形状部材の形であることが可能である。浮動切欠８１５は反転防止支柱８１０を受領するように構成され、したがってこのような支柱のための取付点の役割を果たす。支柱８１０は浮動切欠８１５の中に嵌合することによりシャフト１１０に取り付けられ、次いでワイヤまたは他の手段によって保持されることが可能である。浮動切欠８１５は、縁部の周囲に歯を備えた薄い円形ナイロンまたはプラスチック片であることが可能である。
【００５５】
反転防止支柱８１０の第１の端部８１２は浮動切欠８１５に作動可能に結合され、反転防止支柱８１０の第２の端部８１４はリブ２００に作動可能に結合される。
【００５６】
図１９〜２１は支柱８１０の詳細を示す。反転防止支柱８１０は第１および第２の平行なロッド８２０、８３０から形成される。第１および第２の平行なロッド８２０、８３０の第１の端部は、第１の端部８１２において第１の継手８４０に結合され、第１および第２の平行なロッド８２０、８３０の第２の端部は、第２の端部８１４において第２の継手８５０に結合される。第１の継手８４０は雄継手および雌継手の一方であることが可能であり、第２の継手８５０は雄継手および雌継手の一方であることが可能である。例えば第１の継手８４０は雄継手（ツインロッド雄継手）の形であることが可能であり、第２の継手８５０は雌継手（ツインロッド雌継手）の形であることが可能である。雄継手（例えば継手８４０）は単一の突出部（指部）８４１によって画定される一方で、雌継手（例えば継手８５０）は、突出部８４３の間に画定された空間８４５を備える１対の離間した突出部（指部）８４３によって画定される。
【００５７】
第１の継手８４０は浮動切欠８１５に枢動可能に取り付けられるように構成され、第２の継手８５０はリブ２００に枢動可能に取り付けられるように構成される。継手８４０の間の結合に関して、第１の継手８４０の突出部８４１は浮動切欠８１５内に形成された補完空間（スロット）内に受領される。
【００５８】
第２の継手８５０は、浮動継手、例えば浮動継手５００などに作動可能に結合される。前に論じたように、浮動継手５００はリブ２００に摺動可能に結合され、第２の継手８５０と噛み合うように構成される。図８Ａ〜Ｄは浮動継手５００を示す。浮動継手５００は、ボア５１２を含む本体５１０によって画定され、ボア５１２はその中に形成され、本体５１０の一端からその他方に通る貫通孔を表す。また浮動継手５００は、本体５１０から半径方向外方に延在する羽根の形の継手連結具５２０（図８Ａ）も含む。連結具５２０は本体５１０に垂直に形成することができる。連結具５２０はその中に形成された開口を有する。したがって連結具５２０は雄継手を表す。
【００５９】
反転防止支柱８１０は、第２の端部継手４１３の離間した指部（突出部）８４３の間に形成された空間８４５の中に連結具５２０を挿入することにより、リブ２００に結合される。他の継手と同様に、締結具または同様のものを使用して連結具５２０を指部８４３に結合することができる。
【００６０】
リブ２００はボア５１２（図８Ａ）内に受領され、ボア５１２を通過し、ボア５１２の大きさ（直径）およびリブ２００の大きさ（直径）は、浮動継手５００がリブ２００の長さに沿って長手方向に自由に動くことができるように選択される。これにより、浮動継手５００は傘が開閉するときにリブ２００を自由に上（上切欠１１９に向かって）下（リブ先端に向かって）に移動することができる継手であることが可能になる。
【００６１】
支柱３００は、反転防止支柱８１０の第１および第２の平行なロッド８２０と８３０との間に形成された開放空間内を通過する。ロッド８２０と８３０との間のこの開放空間は、第１の継手８４０から第２の継手８５０に延在し、完全に閉じた位置から完全に折り畳んだ位置まで傘のすべての位置において支柱３００を収納する。
【００６２】
第１の実施形態では、傘７００のリブ２００は、リブ２００に固定して取り付けられた浮動継手止め部５３０を含む。浮動継手止め部５３０は浮動継手５００と第２のリブ継手２３０との間に配置され、リブ２００に沿って固定した場所に留まる。止め部５３０は、それを通って延在し、リブ２００を受領するボア５３２を含む。止め部５３０は、止め部５３０をリブ２００の長さに沿って特定の目標場所に固定するように、従来の技法を使用してリブ２００に固定される。止め部５３０は、この場合に好ましい方法である機械的またはオーバーモールドによって固定することができる。止め部５３０は、浮動継手５００が上切欠１１９に向かう方向に動くのを止め部５３０が制限するように構築される。第１の実施形態と同様に、止め部５３０はリブ２００が圧力を受けて反転するのを防ぐ。
【００６３】
したがって傘７００における反転防止機構は、反転防止機構が枢動可能な支柱とリブとの間に配置された第１の実施形態とは対照的に、浮動切欠８１５と浮動継手５００との間に形成され、浮動切欠８１５を浮動継手５００に連結する役目を果たす。
【００６４】
また本明細書に記載された雄／雌型連結具は、雄連結具を含有するように本明細書に記載された部品が、その代わりに雌連結具を含有することができ、逆に雌連結具を含有するように本明細書に記載された部品はその代わりに雄連結具を含有することができるという点において、逆であることが可能であることも理解されよう。例えば浮動継手５００は雄連結具５２０を備えて示されているが、浮動継手５００は、その代わりにその間の空間（雌連結具）を画定する１対の離間した指部（フランジ）を有するように形成することができる。したがって反転防止支柱の遠位端は、示されている雌継手と対照的に雄継手を有するように形成されるはずである。結合は、雄継手が雌継手内に形成された空間の中に挿入されるという点において同じである。同様に、他の継手、例えば支柱と固定された継手（例えば継手２３０）との間の連結具などの性質は逆であることが可能である。
【００６５】
また本発明のロクロの係止特徴は、従来の設計以上に多くの利点も提供する。具体的には、係止挿入部はシャフト区分の間に連結特徴を提供し、この特徴により追加の係止特徴を加えることなくロクロを適所に係止する方法が可能になる。追加の係止特徴はロクロの直径を増大させるはずであり、これは望ましくない。
【００６６】
図２２〜３２Ｄは別の実施形態による傘９００を示す。傘９００は他の傘に類似しており、したがって同様の要素は同様に番号が付されている。傘９００はシャフト１１０、およびシャフト１１０に沿って摺動移動するロクロ１５０を含む。シャフト１１０に沿って上切欠９１０もあり、上切欠９１０はシャフト１１０に沿って摺動移動する。上切欠９１０はロクロ１５０の上に配置され、シャフト１１０の上端に配置された固定された切欠、すなわち圧縮切欠９２０が存在する。したがって上切欠９１０は圧縮切欠９２０とロクロ１５０との間に配置される。
【００６７】
圧縮切欠９２０は、第１のリブ９３０を第１のリブ９３０の第１の端部において枢動可能に連結される。第１のリブ９３０の第２の端部は圧縮アーム９５０の第２の端部に枢動可能に連結される。圧縮アーム９５０の第１の端部は上切欠９１０に枢動可能に連結される。図３２Ａ〜Ｄは第１のリブ９３０を示す。第１のリブ９３０は本来非対称である細長い構造である。第１のリブ９３０の第１の端部は、第１のリブ９３０の本体９３２から外方に突出する単一の傾斜した延長部（指部）９３１の形の雄の特徴を有する。示されたように、本体９３２は概してＵ字形構造を有する。貫通孔が延長部９３１を通って形成される。延長部９３１は圧縮可能な切欠９２０と噛み合うように構成される（例えば締結具は、２つを一緒に連結するために延長部９３１の貫通孔を通って延在することができる）。反対側の第２の端部では、第１のリブ９３０は、互いに平行な１対の離間したアーム９３３の形の雌の特徴を有する。図３２Ｃの上面図に示されたように、開放空間９３４は２つのアーム９３３の間に形成される。
【００６８】
図３２Ｂの側面図に示されたように、延長部９３１は第１の方向に下方に傾斜し、２つのアーム９３３は第２の方向に上方に傾斜している。２つのアーム９３３に沿って、２つの取付点、すなわち第１の取付点９３５および第２の取付点９３６が存在する。圧縮アーム９５０の第２の端部は第１の取付点９３５において第１のリブ９３０に（例えば締結具または同様のものを使用することなどにより）枢動可能に取り付けられる。
【００６９】
図２３および３０Ｃに最も良く示されたように、アーム９３３の間に形成された空間９３４により、第１の支柱９６０がそこを通過することができる。第１の支柱９６０の第１の端部はロクロ１５０に枢動可能に連結される。第１の支柱９６０の第２の端部は第２のリブ継手９７０に枢動可能に連結される。第２の支柱９８０は、第１の端部において第１のリブ９３０に第２の取付点９３６において（例えば締結具または同様のものを使用することなどにより）枢動可能に連結される。第２の支柱９８０の第２の端部は第２のリブ継手９７０に枢動可能に連結される。
【００７０】
図３１Ａ〜Ｄは第２のリブ継手９７０を示す。第２のリブ継手９７０は概してＵ字形である本体９７１から形成される。図に示されたように、第２のリブ継手９７０はその長さに沿ってわずかに湾曲をなす。本体９７１は第１の取付点９７２および第２の取付点９７３を有する。第１の取付点９７２は本体９７１の端部への中間に配置される一方で、第２の取付点９７３は本体９７１の一端に配置される。第１の支柱９６０は、締結具または同様のものを使用することにより第２の取付点９７３に枢動可能に取り付けられる。第２の支柱９８０はその端部において第１の取付９７２に枢動可能に取り付けられる。第２の取付点９７３を含有する端部と反対側の本体９７１の端部は、中空内部空間の中に通じる加工された開口９７４を含む。示された開口９７４および中空内部空間はＤ字形をなす。
【００７１】
また第２のリブ継手９７０はその第１の端部において第２のリブ９９０に取り付けられる。より具体的には、第２のリブ９９０の第１の端部は開口９７４を通って中空内部空間の中に挿入される。第２のリブ９９０の第２の端部は、先端、例えば本明細書に記載された先端１４００などに取り付けられる。一例示的先端１４００は図２７Ａ〜Ｄに示されている。先端１４００は、開いた第１の端部１４１２および閉じた羽根形状の第２の端部１４１４を有する本体１４１０を含む。
【００７２】
第１の支柱９６０の長さは、第１のリブ９３０および圧縮アーム９５０の長さより長い。
【００７３】
前の実施形態と同様に、傘８００は反転防止機構１０００を含む。反転防止機構１０００は、本明細書に記載された反転防止機構に類似した方式で作動する。
【００７４】
反転防止機構１０００は反転防止支柱１０１０、すなわち反転防止摺動継手１１００および摺動継手止め部１２００を含む。
【００７５】
図３０Ａ〜Ｄに最も良く示されたように、反転防止支柱１０１０は第１の端部１０１２および反対側の第２の端部１０１４を有する細長い構造である。図３０Ａ〜Ｄは、反転防止支柱１０１０の形状および構造を最も良く示す。いくつかの点で、反転防止支柱１０１０は骨に似ている。図に示されたように、反転防止支柱１０１０は対称ではなく、その代わりに中心変曲点１０１１を有し、中心変曲点１０１１は、第１の端部１０１２に延在し第１の端部１０１２で終了する第１の支柱部１０２０、および第２の端部１０１４に延在し第２の端部１０１４で終了する第２の支柱部１０３０を画定する。本明細書により詳細に記載されるように、端面図（図３０Ｄ）から、反転防止支柱１０１０は第１および第２の支柱部１０２０、１０３０のそれぞれに組み入れられた湾曲に起因して、概してＨ字形をなす。
【００７６】
図３０Ｂの側面図から見られるように、反転防止支柱１０１０は第１の面１０１３および反対側の第２の面１０１５によって画定される。図からわかるように、また以下により詳細に記載されるように、第１の支柱部１０２０は、第１の面１０１３に沿った凹形状および第２の面１０１５に沿った凸形状を有し、逆に第２の支柱部１０３０は、第１の面１０１３に沿った凸形状および第２の面１０１５に沿った凹形状を有する。
【００７７】
図３０Ｃの平面図からわかるように、第１の端部１０１２および第２の端部１０１４のそれぞれは、その中に形成されたＵ字形切欠（開口）１０４０を有する。Ｕ字形切欠１０４０の形成は、離間され互いに平行である第１および第２の指延長部１０５０、１０５２を画定する。第１および第２の指延長部１０５０、１０５２の開放端部は、本明細書に記載されたように、反転防止支柱１０１０を別の構造に結合するように締結具または同様のものを受領するためにその中に形成された、軸方向に位置合わせされた開口１０６０を有する。
【００７８】
図３０Ａの斜視図に最も良く示されたように、第１および第２の支柱部１０２０、１０３０のそれぞれの凹部は、１対の対向して直立する側壁１０１９によって画定された溝１０１８を画定する。反転防止支柱１０１０の形状に起因して、第１の支柱部１０２０の第１の面１０１３に沿って形成された溝の深さ、および第２の支柱部１０３０の第２の面１０１５に沿って形成された溝の深さは、中心変曲点１０１１に向かう方向に徐々に低減する。中心変曲点１０１１では、第１および第２の面１０１３、１０１５は、それぞれ一端における凹形状溝と他端における凸形状表面との間を移行する。
【００７９】
直立する側壁１０１９の輪郭は、第２の支柱部１０３０における輪郭と第１の支柱部１０２０における輪郭が同じである。換言すると、直立する側壁１０１９の高さは２つの支柱部１０２０、１０３０において同じであるが、本明細書に記載されたように反対方向に面している。
【００８０】
第１の支柱部１０２０は第２の支柱９８０に取り付けられる。より具体的には、ＡＩＳ（ａｎｔｉ−ｉｎｖｅｒｓｉｏｎ  ｓｔｒｕｔ）（反転防止支柱）継手１０７０は第２の支柱９８０の場所に沿って提供され、第１の支柱部１０２０に接続するように構成される。特にＡＩＳ継手１０７０は、アーム１０５０と１０５２との間の空間１０４０内に挿入される突出部またはフランジ（フラグ部）を有することができる。締結具は開口１０６０を通過し、ＡＩＳ継手１０７０の突起部内の開口を通って２つを一緒に枢動可能に結合する。ＡＩＳ継手１０７０は第２の支柱９８０の端部の間の中間位置に配置され、選択された固定場所に留まることができる。以下に記載されるように、第１の支柱部１０２０の溝１０１８は、傘が折り畳まれ、閉じた位置とみなされる際に第２の支柱９８０を受領する大きさおよび形状である。
【００８１】
また反転防止機構１０００は、第２のリブ９９０に摺動結合され、反転防止支柱１０１０の第２の支柱部１０３０と噛み合うように構成された浮動（摺動）継手１１００も含む。図２８Ａ〜Ｄは浮動継手１１００を示し、浮動継手１１００は、浮動継手１１００が第２のリブ９９０に沿って摺動移動できるように構成される。浮動継手１１００は、ボア１１１２を含む本体１１１０を有し、ボア１１１２はその中に形成され、本体１１１０の一端からその他端に通過する貫通孔を表す。また浮動継手１１００は、本体１１１０から半径方向外方に延在する１対の離間した羽根の形の継手連結具１１２０も含む。連結具１１２０は、本体１１１０に垂直に形成することができる。連結具１１２０はその中に形成された開口を有する。したがって連結具１１２０は雄継手を表し、それを干渉しないようにボア１１１２の下に位置付けられる。
【００８２】
反転防止支柱１０１０の第２の部分１０３０は、第２の支柱部１０３０のアーム１０５０と１０５２を通って形成された開口が軸方向に位置合わせされるように、継手連結具（２つの羽根）１１２０を第２の支柱部１０３０のアーム１０５０と１０５２との間に内方に挿入することにより摺動継手１１００に接続する。次いで締結具または同様のものが孔を通過して、その間に取り付けができる。
【００８３】
図２４に示されたように、反転防止支柱１０１０が本明細書に記載された方式で周囲部品に取り付けられると、第２の支柱部１０３０の凸状の第１の面１０１３および第１の支柱部１０２０の凹状の第１の面１０１３は第２のリブ９９０に面する。同様に、第２の支柱部１０３０の凹状の第２の面１０１５および第１の支柱部１０２０の凸状の第２の面１０１５は第２の支柱９８０に面する。
【００８４】
したがって反転防止支柱１０１０は、摺動継手１１００に結合されることにより第２のリブ９９０に結合される。
【００８５】
別の実施形態では、浮動継手は雄連結具（部品１１２０）を含む雄部品であることが可能であるが、浮動継手は、浮動継手が第２のリブ９９０（例えばアルミニウムの押出リブまたは形成された鋼鉄リブ）の内側の中空内を自由に動くように、第２のリブ９９０の内部に位置付けられることが理解されよう。したがってリブ９９０はその中に形成された線形スロットを有することができ、連結具１１２０は線形スロットを通過する。浮動継手の作動は、それ以外は同じである。この代替実施形態では、浮動継手の「浮動作用」は、したがって示された実施形態で第２のリブ９９０の外側と対照的に第２のリブ９９０の内部で起きる。
【００８６】
図２２および２９Ａ〜Ｄを参照すると、反転防止機構１０００は浮動継手止め部１２００も含み、浮動継手止め部１２００は選択された固定場所で第２のリブ９９０に固定して取り付けられる。浮動継手止め部１２００は浮動継手１１００と第２のリブ継手９７０との間に配置され、リブ２００に沿って固定場所に留まる。止め部１２００は、それを通って延在し、第２のリブ９９０を受領するボア１２１０を含む。止め部１２００は、止め部１２００を第２のリブ９９０の長さに沿って特定の目標場所に固定するように、従来の技法を使用して第２のリブ９９０に固定される。止め部１２００は、この場合に好ましい方法である機械的またはオーバーモールドによって固定することができる。止め部１２００は、浮動継手１１００が第２のリブ継手９７０に向かう方向に動くのを止め部１２００が制限するように構築される。
【００８７】
傘が開位置にあるとき、浮動継手１１００は、浮動継手１１００が浮動継手止め部１２００に接触するまで第２のリブ９９０に沿って上昇することが理解されよう。浮動継手１１００は、浮動継手止め部１２００と組み合わせて、強風の力を受けているときなどに第２のリブ９９０が反転するのを防ぐ。リブは浮動継手止め部１２００の遮断作用に起因して上方に曲がることができないので、反転は防止される。
【００８８】
本明細書に記載されたように、反転防止支柱１０１０の形状は、傘を図２５に示されたように小さい占有面積（すなわち薄い輪郭）に折り畳む支援をするように設計される。より具体的には、また図２５に最も良く示されたように、反転防止支柱１０１０は、傘９００をその完全に折り畳んだ位置に折り畳むとき、反転防止支柱１０１０が第２のリブ９９０と第２の支柱９８０との間に入れ子になることにより、折り畳んだときにより小型の組立体が可能になるように設計される。図２５に示されたように、第２の支柱部１０３０の溝１０１８は、第２のリブ９９０の遠位端部（先端１４００と継手止め部１２００との間の一部）を入れ子の方式で受領し、同様に第１の支柱部１０２０の溝部１０１８は、第２の支柱９８０を入れ子の方式で受領する。第２のリブ９９０および第２の支柱９８０をこの入れ子にすることにより、図２５の完全に折り畳んだ位置において傘９００の占有面積全体が低減する。
【００８９】
図３３〜３８は、本発明の別の実施形態による傘１３００を示す。傘１３００は本明細書に開示された他の傘に類似しており、特に本明細書に記載されたような浮動継手配置、および本明細書に記載されたような骨形状の要素を含む。
【００９０】
傘１３００は持ち手１３１２を備えたシャフト１３１０を含む。また傘１３００は、シャフト１３１０の一端に配置された上切欠１３２０、および摺動可能なロクロ１３３０も含む。図３３〜３５は単純にするために１つのリブ組立体を示す。
【００９１】
上切欠１３２０はリブ１４００を受領するように構成され、したがってこのようなリブのための取付点の役割を果たす。リブ１４００は上切欠１３２０の中に嵌合することによりシャフト１３１０に取り付けられ、次いでワイヤまたは他の手段によって保持することができる。上切欠１３２０は、縁部の周囲に歯を備えた薄い円形ナイロンまたはプラスチック片であることが可能である。
【００９２】
以下の記載によって理解されるように、各リブ１６００は上切欠１３２０およびロクロ１３３０の両方に結合され、この結果ロクロ１３３０の動く方向に基づいてリブ１６００および取り付けられた天蓋（図示せず）が開閉する。リブ１６００とロクロ１３３０との間の連結は、支柱１５００（主要支柱）によってなされる。支柱１５００は、第１の端部１５０２および反対側の第２の端部１５０４を有する細長い構造であり、第１の端部１５０２はロクロ１３３０に枢動可能に取り付けられ、第２の端部１５０４はリブ１６００に枢動可能に取り付けられる。支柱１５００とロクロ１３３０との間、および支柱１５００とリブ１６００との間の枢動連結は、リベットまたはピン、その他などの締結具で遂行することができる。より具体的には、第１の支柱継手１５１０は第１の端部１５０２において支柱１５００とロクロ１３３０との間に形成され、第２の支柱継手１５２０は第２の端部１５０４において支柱１５００とリブ１６００との間に形成される。
【００９３】
第１の支柱継手１５１０は、支柱１５００が開位置と閉位置との間を枢動できるために、ロクロ１３３０に枢動可能に取り付けるように構成された雄端部継手の形であることが可能である。
【００９４】
第２の支柱継手１５２０は二重継手の形であり、図６および７Ａ〜Ｄに継手３２０として示された構造を有する。また第２の支柱継手３２０は支柱リブ間継手であると考えることもでき、支柱１５００の遠位端に取り付ける第１の端部、および１対の離間した指部を含む第２の端部を含み、指部は互いに平行であり、その間に開放空間を画定し、以下に論じるように継手を別の構造（リブ）に結合するために締結具または同様のものが通過できるためにその中に形成された、位置合わせされた開口を有する。１つの第２の支柱継手１５２０の追加の詳細は第２の支柱継手３２０に関して図７Ａ〜Ｄに示されており、第２の支柱継手３２０は継手連結具１５２０と同じ構造を有することができる。
【００９５】
支柱１５００は、金属（例えば亜鉛合金）を含むあらゆる数の異なる材料から形成することができる。
【００９６】
図に示されたように、リブ１６００は、開閉する複数のリブ１４００によって画定されたリブ組立体を提供するために、傘の他の構成要素に結合された細長い構造である。
【００９７】
各リブ１６００は、第１の端部（近位端）および反対側の第２の端部（遠位端）を有する、細長い可撓性構造である。第１の端部は上切欠１３２０に枢動可能に取り付けられ、より具体的には、第１のリブ継手は第１の端部に提供され、リブ１６００が上切欠１３２０に対して枢動することができるように設計することができる。一実施形態では、第１のリブ継手は、支柱組立体の一部である第１のリブ継手に類似した構造、または同じ構造を有することができる雄端部継手の形であることが可能である。
【００９８】
またリブ１６００は、リブ１６００の長さに沿って配置された第２のリブ継手１５２５（第２のリブ継手１５２５は継手２３０と同じであることが可能である）も含む。第２のリブ継手１５２５は、その特定の場所においてリブ１６００に固定して取り付けることができる。したがって第２のリブ継手１５２５は、リブ１６００を受領する中空構造の形であることが可能であり、使用中に第２のリブ継手１５２５が動くのではなく、むしろ固定された場所に留まるように、リブ１６００に固定して取り付けられる。第２のリブ継手１５２５は、そこから半径方向外方に延在する羽根（突出部）の形の連結部１５２７（図３８）を有する。連結部１５２７は、したがって第２のリブ継手１５２５の本体に垂直に形成することができる。連結部１５２７は、そこを通って形成された開口を含む。
【００９９】
連結部１５２７は、第２の支柱継手１５２０の１対の離間した指部の間に画定された開放空間内に配置されるような大きさであり、開放空間内に配置されるように構成される。開放空間の中に挿入されると、連結部１５２７内に形成された開口は、締結具（ピンまたはリベットまたはワイヤ、その他など）が通過できるように指部内の開口と軸方向に位置合わせし、それによって第２の支柱継手１５２０はリブ１６００に枢動可能に取り付けられる（したがって支柱１５００はリブ１６００に枢動可能に取り付けられる）。
【０１００】
本明細書に記載された前の実施形態と同様に、傘１３００は反転防止機構を有する。反転防止機構は反転防止支柱１０１０、すなわち反転防止摺動継手１１００および摺動継手止め部５３０を含む。
【０１０１】
傘１３００に使用される反転防止支柱１０１０は、本明細書の上文に非常に詳しく記載され、図３０Ａ〜Ｄを含む多くの図に示された。前の実施形態と同様に、反転防止支柱１０１０の一端は支柱１５００に枢動可能に結合される一方で、他端は摺動継手１１００によりリブ１６００に枢動可能に結合される。前に述べられたように、またいくつかの点によれば、反転防止支柱１０１０は骨に似ている。図に示されたように、反転防止支柱１０１０は対称ではなく、その代わりに中心変曲点１０１１を有し、中心変曲点１０１１は、第１の端部に延在し第１の端部で終了する第１の支柱部１０２０、および第２の端部に延在し第２の端部で終了する第２の支柱部１０３０を画定する。本明細書により詳細に記載されるように、端面図（図３０Ｄ）から、反転防止支柱１０１０は第１および第２の支柱部１０２０、１０３０のそれぞれに組み入れられた湾曲に起因して、概してＨ字形をなす。
【０１０２】
第１の支柱部１０２０は支柱１５００に取り付けられる。
【０１０３】
また反転防止機構は、リブ１６００に摺動結合され、反転防止支柱１０１０の第２の支柱部１０３０と噛み合うように構成された浮動（摺動）継手１１００も含む。図２８Ａ〜Ｄは浮動継手１１００を示し、反転防止支柱１０１０の第２の部分１０３０と摺動継手１１００との間の連結は本明細書に記載されている。
【０１０４】
また反転防止機構は、リブ１６００に固定して取り付けられた浮動継手止め部５３０も含む。浮動継手止め部５３０は浮動継手１１００と第２のリブ継手１５２５との間に配置され、リブ１６００に沿って固定した場所に留まる。止め部５３０は、それを通って延在し、リブ２００を受領するボア５３２を含む。止め部５３０は、止め部５３０をリブ２００の長さに沿って特定の目標場所に固定するように、従来の技法を使用してリブ２００に固定される。止め部５３０は、この場合に好ましい方法である機械的またはオーバーモールドによって固定することができる。止め部５３０は、浮動継手１１００が上切欠１３２０に向かう方向に動くのを止め部５３０が制限するように構築される。
【０１０５】
傘が開位置にあるとき、浮動継手１１００は、浮動継手１１００が浮動継手止め部５３０に接触するまでリブ１６００に沿って上昇することが理解されよう。浮動継手１１００は、浮動継手止め部５３０と組み合わせて、強風の力を受けているときなどにリブ１６００が反転するのを防ぐ。リブは浮動継手止め部５３０の遮断作用に起因して上方に曲がることができないので、反転は防止される。
【０１０６】
また傘１３００は、本明細書に記載され、図１０Ａ〜Ｄおよび１１〜１３ならびに図２７Ａ〜Ｄに示された先端６００または１４００も含む。
【０１０７】
反転防止支柱１０１０は、傘１３００をその完全に折り畳んだ位置に折り畳むとき、反転防止支柱１０１０がリブ１６００と支柱１５００との間に入れ子になることにより、折り畳んだときにより小型の組立体が可能になるように設計される。第１の支柱部１０２０の溝は、リブ１４００の遠位端部（先端１４００と継手止め部５３０との間の一部）を入れ子の方式で受領し、同様に第２の支柱部１０３０の溝部は、支柱１５００を入れ子の方式で受領する。リブ１４００および支柱１５００をこの入れ子にすることにより、図３５の完全に折り畳んだ位置において傘１３００の占有面積全体が低減する。
【０１０８】
本発明はそのある特定の実施形態に関連して記載されたが、本発明は他の形で実施し、他の材料および構造を使用することができる。したがって本発明は本明細書に添付された特許請求の範囲における列挙およびその等価物によって定義される。
【図１】
2019524343.tif 000003
【図２】
2019524343.tif 000004
【図３】
2019524343.tif 000005
【図４】
2019524343.tif 000006
【図５】
2019524343.tif 000007
【図６】
2019524343.tif 000008
【図７Ａ】
2019524343.tif 000009
【図７Ｂ】
2019524343.tif 000010
【図７Ｃ】
2019524343.tif 000011
【図７Ｄ】
2019524343.tif 000012
【図８Ａ】
2019524343.tif 000013
【図８Ｂ】
2019524343.tif 000014
【図８Ｃ】
2019524343.tif 000015
【図８Ｄ】
2019524343.tif 000016
【図９Ａ】
2019524343.tif 000017
【図９Ｂ】
2019524343.tif 000018
【図９Ｃ】
2019524343.tif 000019
【図９Ｄ】
2019524343.tif 000020
【図１０Ａ】
2019524343.tif 000021
【図１０Ｂ】
2019524343.tif 000022
【図１０Ｃ】
2019524343.tif 000023
【図１０Ｄ】
2019524343.tif 000024
【図１１】
2019524343.tif 000025
【図１２】
2019524343.tif 000026
【図１３】
2019524343.tif 000027
【図１４】
2019524343.tif 000028
【図１５】
2019524343.tif 000029
【図１６】
2019524343.tif 000030
【図１７Ａ】
2019524343.tif 000031
【図１７Ｂ】
2019524343.tif 000032
【図１８Ａ】
2019524343.tif 000033
【図１８Ｂ】
2019524343.tif 000034
【図１９】
2019524343.tif 000035
【図２０】
2019524343.tif 000036
【図２１】
2019524343.tif 000037
【図２２】
2019524343.tif 000038
【図２３】
2019524343.tif 000039
【図２４】
2019524343.tif 000040
【図２５】
2019524343.tif 000041
【図２６】
2019524343.tif 000042
【図２７Ａ】
2019524343.tif 000043
【図２７Ｂ】
2019524343.tif 000044
【図２７Ｃ】
2019524343.tif 000045
【図２７Ｄ】
2019524343.tif 000046
【図２８Ａ】
2019524343.tif 000047
【図２８Ｂ】
2019524343.tif 000048
【図２８Ｃ】
2019524343.tif 000049
【図２８Ｄ】
2019524343.tif 000050
【図２９Ａ】
2019524343.tif 000051
【図２９Ｂ】
2019524343.tif 000052
【図２９Ｃ】
2019524343.tif 000053
【図２９Ｄ】
2019524343.tif 000054
【図３０Ａ】
2019524343.tif 000055
【図３０Ｂ】
2019524343.tif 000056
【図３０Ｃ】
2019524343.tif 000057
【図３０Ｄ】
2019524343.tif 000058
【図３１Ａ】
2019524343.tif 000059
【図３１Ｂ】
2019524343.tif 000060
【図３１Ｃ】
2019524343.tif 000061
【図３１Ｄ】
2019524343.tif 000062
【図３２Ａ】
2019524343.tif 000063
【図３２Ｂ】
2019524343.tif 000064
【図３２Ｃ】
2019524343.tif 000065
【図３２Ｄ】
2019524343.tif 000066
【図３３】
2019524343.tif 000067
【図３４】
2019524343.tif 000068
【図３５】
2019524343.tif 000069
【図３６】
2019524343.tif 000070
【図３７】
2019524343.tif 000071
【図３８】
2019524343.tif 000072
【国際調査報告】
2019524343.tif 000073